(57)【要約】      （修正有）【課題】暑い時や寒い時に、快適な涼あるいは暖をとることを可能とし、汚れても簡単に落とすことを可能とするペット用冷温兼用ボードを提供する。【解決手段】ペット用冷温兼用ボード１０は、上面に開口２３を有し、蓄熱材５０を収容可能なボックス形状の冷温用トレイ２０と、冷温用トレイ２０の開口２３を被蓋し、かつ蓄熱材５０の熱を伝搬するペット用冷温板３０とを備える。さらに、冷温用トレイ２０の内部に配置して、蓄熱材５０を載置する載置部４１、およびペット用冷温板３０を支持する支持部４２，４２、および載置部４１から支持部４２，４２を介して伝搬する熱をペット用冷温板３０に接触して伝搬する接触部４３，４３を有する熱伝搬用支持板４０を備える。暑い時は蓄熱材５０を保冷材５１とし、寒い時は蓄熱材５０を保温材５２とする。【選択図】図２
0003188136.tif 000002
【実用新案登録請求の範囲】
【請求項１】
上面に開口を有し、蓄熱材を収容可能なボックス形状の冷温用トレイと、
前記冷温用トレイの前記開口を被蓋し、かつ前記蓄熱材の熱を伝搬するペット用冷温板と、
前記冷温用トレイの内部に配置して、前記蓄熱材を載置する載置部、および前記ペット用冷温板を支持する支持部、および前記載置部から前記支持部を介して伝搬する熱を前記ペット用冷温板に接触して伝搬する接触部を有する熱伝搬用支持板と、
を備えていることを特徴とするペット用冷温兼用ボード。
【請求項２】
前記冷温用トレイは、前記ペット用冷温板を載置可能な段突き部を有する外周枠を備えていることを特徴とする請求項１に記載のペット用冷温兼用ボード。
【請求項３】
前記ペット用冷温板は、少なくとも一つの取っ手用穴部を備えていることを特徴とする請求項１又は２に記載のペット用冷温兼用ボード。
【請求項４】
前記取っ手用穴部は、その一部あるいは近傍に前記冷温用トレイの内部へ連通する連通孔を備えていることを特徴とする請求項３に記載のペット用冷温兼用ボード。
【請求項５】
前記冷温用トレイは、前記ペット用冷温板および前記熱伝搬用支持板に比べて低い熱伝導性を有することを特徴とする請求項１〜４のうち、何れか１項に記載のペット用冷温兼用ボード。
【請求項６】
前記冷温用トレイは、底部および外周枠に断熱層を備えていることを特徴とする請求項１〜５のうち、何れか１項に記載のペット用冷温兼用ボード。
【考案の詳細な説明】
【技術分野】
【０００１】
本考案は、暑い時や寒い時に、犬や猫などのペットが快適に過ごすために、涼あるいは暖をとることを可能とするペット用冷温兼用ボードを提供する技術に関する。
【背景技術】
【０００２】
従来から、ペットが暑い時は涼しく、寒い時は暖かくして快適に過ごしやすくするために、特許文献１のペット用クールボード、特許文献２の愛玩動物用ベッド、特許文献３のペット用クールマットなどが開発されている。
【０００３】
特許文献１のペット用クールボードは、ボード本体の下面に、複数の凸条が設けられている。また、前記ボード本体の縁部の折り曲げ部に４つの脚部が設けられている。前記脚部の間には、外気と通じる開口部が形成されている。ペット用クールボードを床面などの接地面上に設置した状態では、各凸条の高さが脚部の高さより小さいので、各凸条の下面が接地面に接触しない。このため、接地面と各凸条の下面との間に連続した一つの空間が形成される。その空間は前記開口部を通じて外気と連通しているので、ボード本体にペットを載せた場合、ペットの熱は各凸条を経て外気へ逃がすことができる。
【０００４】
特許文献２の愛玩動物用ベッドは、撥水性布部材を用いた外袋体内に、蓄熱材を保持した蓄熱材袋体を複数収容することで、愛玩動物用ベッドの上面に愛玩動物が横臥できる。前記外袋体には、内側に蓄熱材袋体を収容する４つの区画収容部を形成する。
【０００５】
特許文献３のペット用クールマットは、側部開口状の袋体と、前記袋体の内部に収納される保冷材で構成する。前記袋体は、表面側の布体と、裏面側の布体で構成する。表面側の布体は、表皮と（第１の）裏地で構成し、前記表皮と前記（第１の）裏地の間に第１マットを収容する。一方、裏面側の布体は、裏皮と（第２の）裏地で構成し、前記裏皮と前記（第２の）裏地の間に第２マットを収容する。
【先行技術文献】
【特許文献】
【０００６】
【特許文献１】実用新案登録第３１２１９５０号公報
【特許文献２】特開２００６−８１４２２号公報
【特許文献３】実用新案登録第３０８０８６８号公報
【考案の概要】
【考案が解決しようとする課題】
【０００７】
特許文献１は、ペットを載せた時のボード本体の熱は、複数の凸条によって放熱することで冷却する。このような冷却は、特に外気温が高い場合、ペットにとって快適な低温とすることに限界がある。
【０００８】
特許文献２は、外袋体は撥水性布部材で構成することで、汚れたら、外袋体の内側の区画収容部から、各蓄熱材袋体を取り出して、外袋体を簡単に洗濯できるとしている。しかし、やはり外袋体は撥水性布部材であるので、汚れたり、愛玩動物の臭いが染み付いたりしてしまい、頻繁に洗濯することになる。洗濯後は、各蓄熱材袋体を区画収容部へ収納する必要があるので、取り扱いを向上しているとは言え、やはり面倒である。
【０００９】
特許文献３は、特許文献２の場合と同様、汚れたり、ペットの臭いが染み付いたりしてしまい、頻繁に洗濯することになる。また、表面側の布体には第１マットが収容され、裏面側の布体には第２マットが収容されているので、洗濯するのが簡単ではないし、乾きにくい。また、洗濯後に袋体の内部に保冷材を収容する手間も面倒である。
【００１０】
本考案はこのような事情に鑑みてなされたものであって、暑い時や寒い時に、快適な涼あるいは暖をとることを可能とし、汚れても簡単に落とすことができるペット用冷温兼用ボードを提供することを目的とする。
【課題を解決するための手段】
【００１１】
請求項１記載の考案は、上面に開口を有し、蓄熱材を収容可能なボックス形状の冷温用トレイと、  前記冷温用トレイの前記開口を被蓋し、かつ前記蓄熱材の熱を伝搬するペット用冷温板と、前記冷温用トレイの内部に配置して、前記蓄熱材を載置する載置部、および前記ペット用冷温板を支持する支持部、および前記載置部から前記支持部を介して伝搬する熱を前記ペット用冷温板に接触して伝搬する接触部を有する熱伝搬用支持板と、を備えていることを特徴とする。
【００１２】
請求項２記載の考案は、上記１項において、前記冷温用トレイは、前記ペット用冷温板を載置可能な段突き部を有する外周枠を備えていることを特徴とする。
【００１３】
請求項３記載の考案は、上記１項又は２項において、前記ペット用冷温板は、少なくとも一つの取っ手用穴部を備えていることを特徴とする。
【００１４】
請求項４記載の考案は、上記３項において、前記取っ手用穴部は、その一部あるいは近傍に前記冷温用トレイの内部へ連通する連通孔を備えていることを特徴とする。
【００１５】
請求項５記載の考案は、上記１〜４項のうち、何れか１項において、前記冷温用トレイは、前記ペット用冷温板および前記熱伝搬用支持板に比べて低い熱伝導性を有することを特徴とする。
【００１６】
請求項６記載の考案は、上記１〜５項のうち、何れか１項において、前記冷温用トレイは、底部および外周枠に断熱層を備えていることを特徴とする。
【考案の効果】
【００１７】
本考案によれば、冷温用トレイの内部の蓄熱材の熱は、冷温用トレイの内部に配置した熱伝搬用支持板によってペット用冷温板へ伝搬するので、暑い時は蓄熱材を保冷材とすることで、ペットは快適な涼をとることができる。一方、寒い時は蓄熱材を保温材とすることで、ペットは快適な暖をとることができる。
また、ペットが載るペット用冷温板は、汚れても簡単に落とすことができる。
また、ペット用冷温板は冷温用トレイの開口に対して簡単に着脱できるので、蓄熱材を新たなものと簡単に入れ替えることができる。
【図面の簡単な説明】
【００１８】
【図１】本考案に係るペット用冷温兼用ボードの一つの実施形態を示す全体的な斜視図である。
【図２】図１においてペット用冷温板を外した場合の斜視図である。
【図３Ａ】図１におけるペット用冷温兼用ボードの各部材を分解した斜視図である。
【図３Ｂ】図１におけるペット用冷温兼用ボードの底面図である。
【図４】（ａ）は、図１における矢視ＩＶａ−ＩＶａ線の断面図である。（ｂ）は、（ａ）におけるＩＶｂの断面図である。
【図５】冷やす場合において、室温と、ペット用冷温兼用ボードにおけるペット用冷温板の表面温度とを経時的に示すグラフである。
【図６】温める場合において、室温と、ペット用冷温兼用ボードにおけるペット用冷温板の表面温度とを経時的に示すグラフである。
【考案を実施するための形態】
【００１９】
以下、本考案の実施形態に係るペット用冷温兼用ボードについて図面を参照して説明する。図１は、本考案に係るペット用冷温兼用ボードの一つの実施形態を示し、ペットが涼あるいは暖をとるために使用するときの全体的な斜視図である。図２は、ペット用冷温板を外した場合における、冷温用トレイの内部の状態を示す斜視図である。図３Ａは、ペット用冷温兼用ボードの各部材を分解した斜視図、図３Ｂはペット用冷温兼用ボードの底面図である。
【００２０】
本実施形態のペット用冷温兼用ボード１０は、図２および図３Ａ，Ｂに示すように、冷温用トレイ２０と、ペット用冷温板３０と、熱伝搬用支持板４０とを備えている。前記冷温用トレイ２０の内部に、しかも前記熱伝搬用支持板４０に蓄熱材５０を載せて配置することによって、ペットが涼あるいは暖をとることを可能とするものである。
なお、蓄熱材５０とは、ある温度を長時間に亘って保つもので、冷却した時の温度（低温）を保つ保冷材５１、加熱した時の温度（高温）を保つ保温材５２などがある。
【００２１】
冷温用トレイ２０は、上面に開口２３を有し、蓄熱材５０を収容可能なボックス形状である。本実施形態では、図４（ｂ）に示すように、ペット用冷温板３０を載置可能な段突き部２２を有する外周枠２１を備えている。
したがって、ペット用冷温板３０の外周縁部の全周が外周枠２１の段突き部２２で支持されるので、ペット用冷温板３０の上に載ったペットを支持する点で効果的である。また、ペット用冷温板３０を段突き部２２に載せるだけで位置決めされ、冷温用トレイ２０の開口２３を被蓋することができるので、取り扱いが簡単である。
また、段突き部２２の深さは、ペット用冷温板３０の板厚とほぼ同じとすることで、外周枠２１の高さとペット用冷温板３０の表面の高さ位置がほぼ同じになる。すなわち、ペット用冷温兼用ボード１０の表面に段差が付かないので、ペットにとって楽に乗り降りできる。
なお、冷温用トレイ２０は、単にペット用冷温板３０を外周枠２１の上面に載せてもよいが、ペット用冷温板３０を位置決めするための工夫が必要になる。上記の理由で、段突き部２２を設けることは効果的である。
【００２２】
なお、本実施形態では、冷温用トレイ２０の材質は、強度的な点、成形性および軽量化という点で、例えばポリプロピレンなどの樹脂を使用しているが、特に限定されない。しかし、ペット用冷温板３０および熱伝搬用支持板４０に比べて低い熱伝導性を有する材質であることが望ましい。その理由は、熱伝搬用支持板４０に載置した蓄熱材５０の熱が、できる限り冷温用トレイ２０へ伝搬しないで、むしろ熱伝搬用支持板４０からペット用冷温板３０へ効率良く伝搬するためである。
【００２３】
また、冷温用トレイ２０は、図４（ａ）に示すように、底部２４と床面などの接地面との間に、断熱層として機能する底部空気層２６を形成することができる。さらに、外周枠にも断熱層として機能する外周枠空気層２７を形成することができる。これによって、冷温用トレイ２０の内部の熱を外部へ放出されにくくすることができる。加えて、熱伝搬用支持板４０に載置した蓄熱材５０の熱が、熱伝搬用支持板４０からペット用冷温板３０へ効率良く伝搬することに寄与する。なお、断熱層は、空気層に限らず、断熱材を充填することも可能である。
【００２４】
ペット用冷温板３０は、冷温用トレイ２０の開口２３を被蓋し、冷温用トレイ２０の内部に収容した蓄熱材５０の熱を、全体にほぼ均一に伝搬するものである。また、ペットが涼あるいは暖をとるために、載ったり、横臥したりするエリアとなる。
なお、ペット用冷温板３０は、熱を全体にほぼ均一に伝搬するために熱伝導性が良い材質であることが望ましい。本実施形態では、ペット用冷温板３０は、熱伝導性が高く、しかも強度的な面と軽量化の面とを考慮して、一例としてアルミニウム合金板材を使用した。しかし、アルミニウム合金板材に限定されない。
【００２５】
また、ペット用冷温板３０には、図２に示すように、少なくとも一つの取っ手用穴部３１を備えている。本実施形態では、取っ手用穴部３１の一例として、図３Ａに示すように、ペット用冷温板３０の斜め右上側の位置に貫通孔３２を設け、例えば樹脂製の取っ手用穴部３１を前記貫通孔３２へ嵌め込んで装着している。取っ手用穴部３１は前記貫通孔３２を塞いでいるが、例えば複数本の指を差し込んでペット用冷温板３０を引き上げることを可能とする構成である。
【００２６】
また、取っ手用穴部３１は、その一部あるいはその近傍に、冷温用トレイ２０の内部へ連通する連通孔３３を備えることができる。その目的は、冷温用トレイ２０の内部へ、図４（ａ）に示すように、例えばペットの好きな匂い袋６０を配置することによって、前記匂い袋６０の匂いを連通孔３３を通過して外部へ放出させることである。本実施形態では、前記貫通孔３２の一部に取っ手用穴部３１で塞がれない切欠き部を形成し、前記切欠き部を連通孔３３としている。あるいは、取っ手用穴部３１のそれ自体に連通孔３３を形成してもよい。
【００２７】
熱伝搬用支持板４０は、冷温用トレイ２０の内部に配置して、蓄熱材５０を載置する載置部４１、およびペット用冷温板３０を支持する支持部４２、および前記載置部４１から前記支持部４２を介して伝搬する熱をペット用冷温板３０に接触して伝搬する接触部４３を有する。
本実施形態では、熱伝搬用支持板４０は、図３Ａに示すように、断面上向きコ字状の両側にフランジ部を有する。上向きコ字状の底辺が載置部４１を構成し、上向きコ字状の両側辺が支持部４２，４２を構成する。両側のフランジ部が接触部４３，４３を構成する。本実施形態では、熱伝搬用支持板４０は、熱伝導性が高く、しかも強度的な面と軽量化の面とを考慮して、一例としてアルミニウム合金板材を使用した。しかし、アルミニウム合金板材に限定されない。
【００２８】
上記の熱伝搬用支持板４０は、図２および図４（ａ）に示すように、冷温用トレイ２０の長手方向においてほぼ中央に位置して冷温用トレイ２０の内部に配置されることが望ましい。すなわち、熱伝搬用支持板４０における２つの支持部４２，４２が、冷温用トレイ２０の長手方向の長さをほぼ３等分する位置になるよう配置している。そのために、冷温用トレイ２０の底面には、熱伝搬用支持板４０を位置決めするための位置ガイド部材２５が配置されている。本実施形態では４か所の位置ガイド部材２５，２５，２５，２５を設けている。
さらに、熱伝搬用支持板４０は、載置部４１を冷温用トレイ２０の内部の底面に載置したとき、前記接触部４３，４３が冷温用トレイ２０の段突き部２２と同じ高さ位置となるように構成することが望ましい。
【００２９】
したがって、ペット用冷温板３０を冷温用トレイ２０の段突き部２２に載せて開口２３を被蓋したとき、ペット用冷温板３０は、外周枠２１の段突き部２２と熱伝搬用支持板４０の２つの支持部４２，４２によってほぼ均等間隔の位置で支持されることになる。ペット用冷温板３０の上に載ったペットを支持する点で効果的である。
さらに、熱伝搬用支持板４０の載置部４１に載せた蓄熱材５０の熱は、載置部４１から両側の２つの支持部４２，４２を経て両側の接触部４３，４３へ、さらに接触部４３，４３からペット用冷温板３０へ伝搬する。
２つの接触部４３，４３がペット用冷温板３０の長手方向の長さに対してほぼ３等分の位置にあるので、２つの接触部４３，４３の熱はペット用冷温板３０の全体へ効率良く伝搬することになる。
【００３０】
上記のペット用冷温兼用ボード１０において冷やす場合の作用について説明する。
予め冷凍庫にて凍らせた保冷材５１を用いる。その保冷材５１はアルミ袋に入れることが温度の持続時間を長くする点で望ましい。図２に示すように、ペット用冷温板３０は取っ手用穴部３１に指を差し込んで引っ掛けて冷温用トレイ２０の開口２３から取り外す。保冷材５１は、冷温用トレイ２０の開口２３から内部に配置している熱伝搬用支持板４０の載置部４１へ載置する。次いで、ペット用冷温板３０を冷温用トレイ２０の外周枠２１の段突き部２２へ載せて、図１および図４（ａ）に示すように、冷温用トレイ２０の開口２３を被蓋する。保冷材５１の低温熱は、熱伝搬用支持板４０の載置部４１から両側の２つの支持部４２，４２を経て両側の接触部４３，４３へ、さらに接触部４３，４３からペット用冷温板３０の全体へ効率良く伝搬する。
【００３１】
なお、冷温用トレイ２０の内部の空気は保冷材５１によって低温になるので、その空気の低温がペット用冷温板３０を冷やすことに寄与するが、主として保冷材５１の低温熱は熱伝搬用支持板４０からペット用冷温板３０へ伝搬する。つまり、保冷材５１の熱は、熱伝搬用支持板４０を経て伝熱される他、冷温用トレイ２０の内部に滞留する冷気が伝達することによってもペット用冷温板３０に伝わるが、その割合は伝熱による部分が大きいと思われる。
【００３２】
その結果、実験の一例として、図５のグラフに示すように、室温が平均で約３１℃である場合、ペット用冷温板３０の表面温度は、保冷材５１を配置してから３０分後に約２４℃に低下し、１時間後では約２３℃である。それから、５時間３０分後までの間は２３〜２５℃を推移している。６時間後は約２６℃である。なお、この実験で用いたペット用冷温兼用ボード１０は、平面において長さが６１０ｍｍで、幅が３７０ｍｍで、高さが４０ｍｍである。
以上のように、冷やす持続時間は保冷材５１の容量によるが、５時間ほどの間で、ほぼ安定した温度を維持している。
【００３３】
上記のペット用冷温兼用ボード１０において温める場合の作用について説明する。
予め電子レンジにて加熱した保温材５２を用いる。この保温材５２をペット用冷温兼用ボード１０へ配置する要領は、上記の冷やす場合と同じである。保温材５２を冷温用トレイ２０の内部の熱伝搬用支持板４０の載置部４１へ載置する。なお、加熱した保温材５２はアルミ袋に入れる必要がない。
ペット用冷温板３０で冷温用トレイ２０の開口２３を被蓋すると、保温材５２の加熱温度は、熱伝搬用支持板４０の載置部４１から両側の２つの支持部４２，４２を経て両側の接触部４３，４３へ、さらに接触部４３，４３からペット用冷温板３０の全体へ効率良く伝搬する。
【００３４】
なお、冷温用トレイ２０の内部の空気は保温材５２によって温度上昇するので、その空気の温度がペット用冷温板３０を温めることに寄与するが、主として保温材５２の加熱温度は熱伝搬用支持板４０からペット用冷温板３０へ伝搬する。
【００３５】
その結果、実験の一例として、図６のグラフに示すように、室温が平均で約２１℃である場合、ペット用冷温板３０の表面温度は、保温材５２を配置してから３０分後に約２９℃に上昇する。１時間後から２時間後では約２８から２７℃へ低下するが、３時間３０分後まではほぼ２７℃を推移している。４時間後は約２４℃へ低下する。ちなみに、犬の体温は３７．８℃である。なお、この実験で用いたペット用冷温兼用ボード１０は、図５の実験の場合と同じである。
以上のように、温める持続時間は保温材５２の容量によるが、３時間ほどの間で、ある程度の安定した温度を維持している。
【００３６】
また、本実施形態のペット用冷温兼用ボード１０の使用例としては、図４（ａ）に示すように、例えばペットの好きな匂い袋６０を、冷温用トレイ２０の内部へ、特にペット用冷温板３０の貫通孔３２の下方の位置へ配置する。前記匂い袋６０の匂いは連通孔３３を通過して外部へ放出するので、ペットを呼び寄せることができる。
【００３７】
以上のように、本実施形態のペット用冷温兼用ボード１０は、冷温用トレイ２０の内部の蓄熱材５０の熱が、冷温用トレイ２０の内部に配置した熱伝搬用支持板４０によってペット用冷温板３０へ伝搬するので、ペットは暑い時や寒い時に快適な涼あるいは暖をとることができる。すなわち、暑い時は蓄熱材５０を保冷材５１とすることで、ペットは快適な涼をとることができる。一方、寒い時は蓄熱材５０を保温材５２とすることで、ペットは快適な暖をとることができる。また、ペットが載るペット用冷温板３０は、汚れても簡単に落とすことができる。また、ペット用冷温板３０は冷温用トレイ２０の開口２３に対して簡単に着脱できるので、蓄熱材５０を新たなものと簡単に入れ替えることができる。
さらに、使用の際、蓄熱材５０は、冷温用トレイ２０の内部に収納されていることから、ペットが噛んだりすることがなく、破損を防止することが可能である。加えて、電源を使用していないので、停電時にも使用を継続することができるとともに、電力消費も少なくて済む。
【産業上の利用可能性】
【００３８】
本考案は、気温、室温の影響下において暑い時あるいは寒い時、ペットが快適に過ごすための補助グッズとして利用できる。ペットが好む匂いを放出、あるいは匂いの付いた毛布やタオルケットを掛けてペットを呼び込む補助グッズ、補助ベッドなどに、利用可能性を有する。
【符号の説明】
【００３９】
１０  ペット用冷温兼用ボード
２０  冷温用トレイ
２１  外周枠
２２  段突き部
２３  開口
２４  底部
２５  位置ガイド部材
２６  底部空気層
２７  外周枠空気層
３０  ペット用冷温板
３１  取っ手用穴部
３２  貫通孔
３３  連通孔
４０  熱伝搬用支持板
４１  載置部
４２  支持部
４３  接触部
５０  蓄熱材
５１  保冷材
５２  保温材
６０  匂い袋
【図１】
0003188136.tif 000003
【図２】
0003188136.tif 000004
【図３Ａ】
0003188136.tif 000005
【図３Ｂ】
0003188136.tif 000006
【図４】
0003188136.tif 000007
【図５】
0003188136.tif 000008
【図６】
0003188136.tif 000009